(57)【要約】【課題】被処理物の粗破砕と細破砕の二段階の破砕を同じ装置で能率よく行え、被処理物中にシートやフィルム、紐状のもの等が混在していても支障がなく、構造簡単で機能的な複合二軸破砕機を提供する。【解決手段】破砕ケーシング１と、水平方向に沿って平行配置した一対の破砕ロール２，２と、破砕ロール２，２を正逆回転させる可逆転モータ７と、両破砕ロール２，２に対向する一対の固定刃具３，３とを備え、各破砕ロール２の周面に正逆回転方向に臨む複数の回転側刃体２４…，２５…が設けられ、各固定刃具３に回転側刃体２５…に対応した複数の固定側刃体３１…が設けられ、両破砕ロール２，２の正回転駆動により、互いの回転側刃体２４，２４間で被処理物をスリットカッター式に粗破砕し、両破砕ロール２，２の逆回転駆動により、各破砕ロール２の回転側刃体２５と各固定刃具３の固定側刃体３１との間で被処理物を噛み潰し式に細破砕するように構成されてなる。【選択図】図５
2007307520.tif 000002
【特許請求の範囲】
【請求項１】
上方を被処理物の投入口とする破砕ケーシングと、この破砕ケーシング内に水平方向に沿って平行配置した一対の破砕ロールと、これら破砕ロールを正逆回転させる回転駆動手段と、両破砕ロールに各々対向して破砕ケーシング内面側に固設された一対の固定刃具とを備え、
各破砕ロールの周面には、当該破砕ロールの正逆回転方向にそれぞれ臨む各複数の回転側刃体が設けられ、
各固定刃具には、対向する破砕ロールの逆回転方向側に臨む回転側刃体に対応した複数の固定側刃体が設けられ、
両破砕ロールの相互対接部の上方側が噛み込み側となる正回転駆動により、互いの回転側刃体間で被処理物をスリットカッター式に粗破砕する一方、両破砕ロールの逆回転駆動によって各破砕ロールの回転側刃体と各固定刃具の固定側刃体との間で被処理物を噛み潰し式に細破砕するように構成されてなる複合二軸破砕機。
【請求項２】
各破砕ロールは、その回転軸体に、外周に回転側刃体を有する複数個の環状刃具がスペーサを介して一定間隔置きに嵌着され、各スペーサの外周部で環状溝を形成し、
両破砕ロールにおける環状刃具が回転側刃体を互いに相手側の前記環状溝に嵌入するように配置してなる請求項１記載の複合二軸破砕機。
【請求項３】
破砕ケーシング内面側に、前記各固定刃具の上位側及び下位側で破砕ロールの前記各環状溝に嵌入するスクレーパが固設されてなる請求項２記載の複合二軸破砕機。
【請求項４】
両破砕ロールの各々に対応した回転駆動手段を備えてなる請求項１〜３のいずれかに記載の複合二軸破砕機。
【請求項５】
破砕ケーシングが相互に着脱可能な上下枠部に分割構成されてなる請求項１〜４のいずれかに記載の複合二軸破砕機。
【請求項６】
破砕ロールの各回転側刃体が取付基材にねじ止めされるチップ状の独立部材からなる請求項１〜５のいずれかに記載の複合二軸破砕機。
【発明の詳細な説明】
【技術分野】
【０００１】
本発明は、種々の材質の固形被処理物を破砕する剪断式の複合二軸破砕機に関する。
【背景技術】
【０００２】
従来より、プラスチック、木片、紙、金属等の廃材処理において、これら廃材を破砕するのにツイン・スリット型破砕機が汎用されている。このツイン・スリット型破砕機は、上部を投入口、下部を放出口とする箱枠状の破砕ケーシング内に、各々複数枚の環状刃具を環状スペーサを介して一定間隔置きに嵌装固定した一対の破砕ロールが、互いに各環状刃具を他方の環状スペーサの位置に構成される環状溝に嵌合して水平に並設されており、両軸のギヤ噛合を介した回転駆動により、破砕ケーシング内に投入された被処理物を両軸の環状刃具が擦れ違い式に噛み合う部分に引き込むスリットカッター方式で破砕するようになっている（特許文献１〜３）。
【特許文献１】特許第２８１３５７２号公報
【特許文献２】特許第３００５４５８号公報
【特許文献３】特開２００５−３１９５４５公報
【０００３】
ところが、前記のツイン・スリット型破砕機では、スリットカッター方式により、被処理物を隣接する破砕刃間の環状溝に通過させる大きさまでは破砕するが、更に細かく破砕することはできない。従って、被処理物を細かいレベルまで破砕する必要がある場合、このツイン・スリット型破砕機のような二軸型破砕機にて粗破砕（一次破砕）したのち、その破砕物を一本のローラ型回転刃と固定刃とを備える一軸型破砕機等で細破砕（二次破砕）するのが一般的であるが、２種の破砕機を設備するのに費用が嵩むと共に、広い設置場所を要して処理施設での空間効率が低下し、処理コストの増大に繋がることになる。
【０００４】
また、前記のツイン・スリット型破砕機においては、被処理物の中にプラスチック製のシートやフィルム、紐状のもの等が混在している場合に、スリットカッター方式であるために短く切断できず、これらが帯状になって破砕ロールに巻き付き、破砕能力の低下や作動不良をきたすことが多々あった。従って、これを避ける上で、予め被処理物の選別が必要になり、その作業に非常に手間がかかるという問題もあった。
【発明の開示】
【発明が解決しようとする課題】
【０００５】
本発明は、上述の情況に鑑み、被処理物を細かいレベルまで破砕するための粗破砕と細破砕の二段階の破砕を同じ装置で能率よく行え、また被処理物中にシートやフィルム、紐状のもの等が混在していても支障がない上、構造簡単で機能的な複合二軸破砕機を提供することを目的としている。
【課題を解決するための手段】
【０００６】
上記目的を達成するために、本発明の請求項１に係る複合二軸破砕機は、図面の参照符号を付して示せば、上方を被処理物の投入口１ａとする破砕ケーシング１と、この破砕ケーシング１内に水平方向に沿って平行配置した一対の破砕ロール２，２と、これら破砕ロール２，２を正逆回転させる回転駆動手段（可逆転モータ７）と、両破砕ロール２，２に各々対向して破砕ケーシング１内面側に固設された一対の固定刃具３，３とを備え、各破砕ロール２の周面には、当該破砕ロール２の正逆回転方向にそれぞれ臨む各複数の回転側刃体２４…，２５…が設けられ、各固定刃具３には、対向する破砕ロール２における逆回転方向側に臨む回転側刃体２５…に対応した複数の固定側刃体３１…が設けられ、両破砕ロール２，２の相互対接部の上方側が噛み込み側となる正回転駆動により、互いの回転側刃体２４，２４間で被処理物をスリットカッター式に粗破砕する一方、両破砕ロール２，２の逆回転駆動によって各破砕ロール２の回転側刃体２５と各固定刃具３の固定側刃体３１との間で被処理物を噛み潰し式に細破砕するように構成されてなる。
【０００７】
請求項２の発明は、上記請求項１の複合二軸破砕機において、各破砕ロール２は、その回転軸体２ａに、外周に回転側刃体２４，２５を有する複数個の環状刃具２１…がスペーサ２２…を介して一定間隔置きに嵌着され、各スペーサ２２の外周部で環状溝２３を形成し、両破砕ロール２，２における環状刃具２１が回転側刃体２４，２５を互いに相手側の前記環状溝２３に嵌入するように配置してなるものとしている。
【０００８】
請求項３の発明は、上記請求項２の複合二軸破砕機において、破砕ケーシング１内面側に、前記各固定刃具３の上位側及び下位側で破砕ロール２の前記各環状溝２３に嵌入するスクレーパ４，５が固設されてなるものとしている。
【０００９】
請求項４の発明は、請求項１〜３のいずれかの複合二軸破砕機において、両破砕ロール２，２の各々に対応した回転駆動手段（可逆転モータ７）を備えるものとしている。
【００１０】
請求項５の発明は、請求項１〜４のいずれかの複合二軸破砕機において、破砕ケーシング１が相互に着脱可能な上下枠部１１，１２に分割構成されてなるものとしている。
【００１１】
請求項６の発明は、請求項１〜５のいずれかの複合二軸破砕機において、破砕ロール２，２の各回転側刃体２４，２５が取付基材（環状刃具２１）にねじ止めされるチップ状の独立部材からなるものとしている。
【発明の効果】
【００１２】
請求項１の発明に係る複合二軸破砕機によれば、両破砕ロールの正回転駆動により、両破砕ロール相互の接近して擦れ違う回転側刃体間で、被処理物がスリットカッター式に粗破砕される一方、両破砕ロールの逆回転駆動により、各破砕ロールの回転側刃体と各固定刃具の固定側刃体との間で被処理物が噛み潰される形で細破砕される。従って、粗大な被処理物を細かいレベルまで破砕する場合、この複合二軸破砕機のみを用い、両破砕ロールの正回転駆動で粗破砕したのち、その破砕物を両破砕ロールの逆回転駆動で細破砕すればよく、従来のように各破砕段階毎に専用の破砕機を用いる必要がない上、当該複合二軸破砕機自体も構造的に簡素であるから、それだけ設備コストを低減できると共に、設置スペーサも小さくて済むために処理施設の空間効率を高めることができる。
【００１３】
また、この複合二軸破砕機では、両破砕ロールの正回転駆動による破砕処理において、被処理物中にシートやフィルム、紐状のもの等が混在していた場合、これらが帯状になって破砕ロールに巻き付くには、下方から破砕ロールの回転側刃体と各固定刃具の固定側刃体との噛合い部分を通ることになるが、この噛合い部分で短く裁断されてしまうため、その巻き付きによる破砕能力の低下や作動不良をきたす懸念がない。従って、シートやフィルム、紐状のもの等が混在する被処理物であっても、これらを予め選別して取り除く必要がないから、従来のツイン・スリット型破砕機による処理に比して大幅な省力化を実現できる。
【００１４】
請求項２の発明によれば、上記の複合二軸破砕機において、回転側刃体が回転軸体に嵌着される環状刃具に設けられているから、ツイン・スリット型をなす両破砕ロールの組立製作を容易に行える。
【００１５】
請求項３の発明によれば、上記のツイン・スリット型をなす複合二軸破砕機において、各固定刃具の上位側及び下位側で、破砕ロールの各環状溝にスクレーパが嵌入しているから、両破砕ロールの正逆両回転による破砕時に、被処理物が未破砕あるいは破砕不充分なままで環状溝を通して落下するのを防止できる。
【００１６】
請求項４の発明によれば、上記の複合二軸破砕機において、両破砕ロールを個別に回転駆動できるから、両破砕ロールの正回転駆動による粗破砕において、両破砕ロールの回転速度に差をつけることにより、互いの回転側刃体の噛み合い部分で捻じれ作用を生じさせ、もって裁断性を高めることができると共に、その高速回転側と低速回転側とを定期的に交替させて両破砕ロールの摩耗を均等化できる。
【００１７】
請求項５の発明によれば、上記の複合二軸破砕機において、破砕ケーシングが上下枠部に分割構成されているから、その上枠部のみを着脱することにより、内部の清掃、被処理物の詰まり除去、部品交換、補修等のメンテナンスを容易に行える。
【００１８】
請求項６の発明によれば、上記の複合二軸破砕機において、破砕ロールの各回転側刃体がチップ状の独立部材からなるため、刃先が摩耗限度に達したり折損した場合に刃体のみの交換で済み、保全コストが低減されると共に交換作業も容易であり、また被処理物の種類や硬さ等の性状に応じて適切な形状の刃体に取り替えることも可能となる。
【発明を実施するための最良の形態】
【００１９】
以下、本発明に係る複合二軸破砕機の実施形態について、図面を参照して具体的に説明する。図１は当該破砕機全体の正面図、図２は同平面図、図３は破砕ケーシング部分の平面図、図４は同破砕ケーシング部分の上下方向中間部における横断平面図、図５は同破砕ケーシング部分の縦断側面図である。
【００２０】
図１及び図２で示すように、この複合二軸破砕機は、架台１０上の中央部に矩形箱枠状の破砕ケーシング１が設置されると共に、該架台１０上の両側部にそれぞれ、タイミングベルト６を介して連動する可逆転モータ７とサイクロ減速機８が設置されている。
【００２１】
破砕ケーシング１は、図５に示すように、ホッパー１３を取り付けた上方を投入口１ａ、下方を取出口１ｂとして各々開放すると共に、上下方向中間部で上部枠体１１と下部枠体１２とに分割構成されている。そして、上部枠体１１は、左右両側において上部枠体１１の厚肉側板部１１ａを貫通して下部枠体１１の厚肉側板部１２ａに螺着する連結ボルト１４ａ…（図４参照）、ならびに前後両側において上部枠体１１の下端突縁部１１ｂと下部枠体１２の上端突縁部１２ｂとを連結する連結ボルト１４ｂ…を外すことにより、下部枠体１２から分離して取り外せるようになっている。
【００２２】
この破砕ケーシング１内には、図４で詳細に示すように、左右水平方向に沿って平行配置した一対の破砕ロール２，２が、上下両枠体１１，１２間で自動調心コロ軸受１５，１５を介して回転自在に軸支されている。そして、これら破砕ロール２，２は、図１及び図２に示すように、その各々の回転軸体２ａの一端側がギヤカップリング２０を介してサイクロ減速機８の回転軸８ａに連結され、個別に可逆転モータ７の作動によって可変速で正逆回転する。
【００２３】
また、該破砕ケーシング１の前後の各内面側には、図３〜図５に示すように、各破砕ロール２に対向して水平配置した厚板状の固定刃具３と、その上下に配置したスクレーパ４，５とが固設されている。しかして、固定刃具３は、その内縁側が連続した凹凸状となり、平面視で逆台形をなす複数（図示では４つ）の各凹部が固定側刃体３１を構成しており、下部枠体１２の前後側板部１２ｃ，１２ｃに取付ボルト１６ａ…を介して固着された支持ブロック１７上に、取付ボルト１６ｂ…によって取り付けられている。
【００２４】
一方、上部スクレーパ４は、上部枠体１１の側板部１１ｃに取付ボルト１６ｃ…を介して固着されている。また、下部スクレーパ５は、支持ブロック１７の内面側に接合した状態で、取付ボルト１６ａ…によって当該支持ブロック１７と共に下部枠体１２に固着されている。しかして、両スクレーパ４，５の内縁側は、固定刃具３の内縁側の凹凸状に対応して櫛刃状に出入りしており、その突縁部４ａ…，５ａ…間の各溝部４ｂ，５ｂが固定刃具３の固定側刃体３１と上下方向に一致するように配置している。
【００２５】
各破砕ロール２は、その断面略正方形の回転軸体２ａに、複数枚（図示では４枚）の環状刃具２１…と外径の小さい環状スペーサ２２とが交互に嵌装されている。そして、各環状刃具２１は、図６でも示すように、その外周の１２０度に等配する３箇所に鳩尾形の刃体取付部２１ａが突設されており、各刃体取付部２１ａの周方向両端に硬質金属からなるチップ状の回転側刃体２４，２５が各々取付ボルト２６，２６を介して固着されている。なお、各回転側刃体２４，２５の先端側は固定刃具３の固定側刃体３１の逆台形に対応する台形をなし、これに合わせて刃体取付部２１ａの先端側も径方向断面で同じ台形になっており、また刃体取付部２１ａの外端縁は破砕ロール２の軸心を中心とする円弧に沿っている。
【００２６】
しかして、対をなす両破砕ロール２，２は、一方側の各環状刃具２１が他方側の環状スペーサ２２の外周部で構成する環状溝２３に嵌合して、その溝底に回転時の回転側刃体２４，２５が近接して通過するように配置している。また、各破砕ロール２と対向する固定刃具３とは、前者の各環状刃具２１と後者の各固定側刃体３３とが破砕ロール２の軸方向の同位置になるように配置している。
【００２７】
一方、上下部スクレーパ４，５の各突縁部４ａ，５ａは、前端縁が破砕ロール２の軸心を中心として環状スペーサ２２の外径よりも僅かに大きい径の凹円弧に設定され、当該破砕ロール２の環状溝２３に嵌入配置している。また、上下部スクレーパ４，５の各溝部４ｂ，５ｂは、溝底が破砕ロール２の軸心を中心として環状刃具２１の刃体取付部２１ａにおける半径よりも大きい半径の凹円弧に設定され、回転時の回転側刃体２４，２５の先端が該溝底に対して間隙ｔ（図５参照）をもって通過するように配置している。しかるに、固定側刃体３１は、回転時の回転側刃体２４，２５に近接して噛み合うように、上下部スクレーパ４，５の溝部４ｂ，５ｂの溝底よりも内側へ突出して配置している。
【００２８】
なお、支持ブロック１７は、図５に示すように、前縁上部に下部スクレーパ５の各溝部５ｂに連続する円弧底の溝部１７ａ…を有している。また、固定側刃体３１は、取付ボルト１６ａ…の挿通部（図示省略）がばか孔になり、その径差分だけ支持ブロック１７に対して取付位置が可変であり、外側から下部枠体１２の側板部１２ｃに螺挿した調整ボルト１８の先端の当接により、被処理物の種類や当該固定側刃体３１の摩耗度合に応じて取付位置を調整できるようになっている。
【００２９】
上記構成の複合二軸破砕機においては、両破砕ロール２，２の正回転駆動によって従来のツイン・スリット型破砕機と同様に回転刃同士でスリットカッター式の破砕を行えると共に、両破砕ロール２，２の逆回転駆動によって従来の一軸式破砕機と同様に回転刃と固定刃の噛合による噛み潰し式の破砕を行えるから、同じ破砕機を用いた二段階処理によって粗大な被処理物を細かいレベルまで破砕することが可能である。
【００３０】
すなわち、両破砕ロール２，２の正回転駆動による一段目の破砕処理では、両破砕ロール２，２が図５の実線矢印ａ１の如く、相互対接部の上側で互いの各環状刃具２１の刃体取付部２１ａ，２１ａ同士を接近させる方向に回転駆動する。従って、上方から投入された被処理物は、破砕ケーシング１の中央側において、両破砕ロール２，２の互いに接近して擦れ違う回転側刃体２４，２４間に挟まれてスリットカッター式に破砕され、その破砕物が実線矢印ｂ１の如く両破砕ロール２，２の相互対接部の下方へ放出される。しかして、この一次破砕物は、スリットカッター式の破砕であるために環状溝２３…を通過する程度にしか細かくなっていないが、これを取出口１ｂの下方に配置した適当な容器で受けて回収したのち、両破砕ロール２，２を逆回転駆動による二段目の破砕処理に供する。
【００３１】
この二段目の破砕処理では、両破砕ロール２，２が図５の仮想線矢印ａ２の如く、相互対接部の上側で互いの各環状刃具２１の刃体取付部２１ａ，２１ａ同士を離間させる方向に回転駆動する。従って、上方から投入された一次破砕物は、破砕ケーシング１の前後両側へ寄せられ、各環状刃具２１の刃体取付部２１ａ，２１ａ間の低位部に入り込んだ状態で上部スクレーパ４の溝部４ｂへ落ち込むが、その溝部４ｂよりも内側へ突出している固定側刃体３１に接触して停止した状態で、当該固定側刃体３１と接近してくる回転側刃体２５との間で噛み潰し式に破砕され、もって細かいサイズの二次破砕物として実線矢印ｂ２の如く破砕ケーシング１の前後両側の下方へ放出される。
【００３２】
なお、この二段目の破砕処理の際、投入した一次破砕物が破砕ケーシング１の中央部より両破砕ロール２，２の環状溝２３…を通して未破砕のまま落下するのを防止するため、投入口１ａの中央部に、図５の仮想線で示すように断面山形等の誘導板１９を設置し、投入される一次破砕物を破砕ケーシング１の前後両側へ振り分けることが推奨される。一方、破砕ケーシング１の前後両側においては、各固定刃具３の上位側及び下位側で、破砕ロール２の各環状溝２３にスクレーパ４，５の突縁部４ａ，５ａが嵌入しているから、両破砕ロール２，２の正逆両回転による破砕時共に、被処理物が未破砕あるいは破砕不充分なままで環状溝２３…を通して落下するのが防止される。
【００３３】
このように、本発明の複合二軸破砕機によれば、両破砕ロール２，２の正回転駆動と逆回転駆動の二段階処理により、粗大な被処理物を細かいレベルまで破砕できるから、従来のように各破砕段階毎に専用の破砕機を用いる必要がない上、この複合二軸破砕機自体も構造的に簡素であるから、設備コストを大きく低減できると共に、設置スペーサも小さくて済み、処理施設の空間効率を高めることができる。また、当然ながら、この複合二軸破砕機は、上記の二段階処理を要しない被処理物を対象として、その被処理物のサイズに応じて、従来同様のツイン・スリット型破砕機あるいは一軸破砕機として一段階の処理のみに供することもできる。
【００３４】
また、被処理物中にシートやフィルム、紐状のもの等が混在していた場合、これらがスリット裁断で帯状になるため、従来のツイン・スリット型破砕機では破砕ロールに巻き付いて破砕能力の低下や作動不良をきたすことになるが、本発明の複合二軸破砕機ではそのような問題を生じない。すなわち、この複合二軸破砕機では、両破砕ロール２，２の正回転駆動による破砕処理において、被処理物中に混在するシートやフィルム、紐状のもの等が帯状になっても、破砕ロール２，２に巻き付くためには、環状溝２３を通って破砕ケーシング１の下方へ出てから、該破砕ロール２の回転側刃体２４と各固定刃具３の固定側刃体３１との噛合い部分を通ることになるため、この噛合い部分で短く裁断されてしまって巻き付き不能になる。従って、この複合二軸破砕機によれば、被処理物中に混在しているシートやフィルム、紐状のもの等を予め選別して取り除く必要がなく、従来のツイン・スリット型破砕機による処理に比して大幅な省力化を実現できる。
【００３５】
特に、本実施形態の複合二軸破砕機では、両破砕ロール２，２を各々個別に可変速に正逆回転駆動できるから、両破砕ロール２，２の正回転駆動による破砕処理において、両破砕ロール２，２の回転速度に差をつけるようにすれば、互いの回転側刃体２４，２４の噛み合い部分で捻じれ作用を生じさせて裁断性をより高めることができる。そして、このように両破砕ロール２，２の回転速度に差をつける破砕処理では、その高速回転側と低速回転側とを定期的に交替させるようにすれば、両破砕ロール２，２の摩耗を均等化でき、それだけ安定した破砕性能を維持でき、破砕機全体の耐久性向上とメンテナンスの軽減に繋がることになる。
【００３６】
更に、本実施形態の複合二軸破砕機にあっては、破砕ケーシング１が上下枠部１１，１２に分割構成されて、その上枠部１１を上部スクレーパ４と一体に取り外せるから、被処理物が残り易い固定刃具３近傍を含めた内部の清掃、被処理物の詰まり除去、部品交換、補修等のメンテナンスを容易に行える。
【００３７】
しかも、この実施形態では、破砕ロール２の各回転側刃体２４，２５がチップ状の独立部材からなり、刃先が摩耗限度に達したり折損した場合に刃体２４，２５のみの交換で済むことから、保全コストが低減されると共に交換作業も容易であり、被処理物の種類や硬さ等の性状に応じて適切な形状の刃体に取り替えることも可能となる。特に、前記二段処理における一段目の粗破砕のように両破砕ロール２，２の正回転駆動による破砕処理では、その破砕に関与する回転側刃体２４…として、表面が滑らかで硬いような被処理物に対し、例えば図７（Ａ）の如く先端側が鋭角で食い付き易い形状のものを用いたり、更に廃プラスチックのように滑らかで軽く軟質な被処理物に対し、図７（Ｂ）で示す鉤爪形等のより食い付きが強い形状のものを用いることにより、破砕能率を高めることができる。
【００３８】
なお、例示した実施形態のように破砕ロール２の回転側刃体２４，２５を回転軸体２ａに嵌着する環状刃具２１に設けることにより、該破砕ロール２の組立製作が容易になるという利点があるが、該環状刃具２１を周方向複数個に分割構成してもよい。また、環状刃具２１とスペーサ２２とが一体化したものも使用可能である。その他、本発明の複合二軸破砕機の細部構成については、実施形態以外に種々設計変更可能である。
【図面の簡単な説明】
【００３９】
【図１】本発明の一実施形態に係る複合二軸破砕機全体の正面図である。
【図２】同複合二軸破砕機全体の平面図である。
【図３】同複合二軸破砕機の破砕ケーシング部分の平面図である。
【図４】同破砕ケーシング部分の上下方向中間部における横断平面図である。
【図５】同破砕ケーシング部分の縦断側面図である。
【図６】同複合二軸破砕機に用いる環状刃具の上半部の縦断正面図である。
【図７】同環状刃具における回転側刃体の変形例を示し、（Ａ）はやや食い付きが強い回転側刃体を設けた環状刃具要部の縦断正面図、（Ｂ）は食い付きがより強い回転側刃体を設けた環状刃具要部の縦断正面図である。
【符号の説明】
【００４０】
１          破砕ケーシング
１ａ        投入口
１ｂ        取出口
１１        上部枠体
１２        下部枠体
２          破砕ロール
２ａ        回転軸体
２１        環状刃具（取付基材）
２２        スペーサ
２３        環状溝
２４，２５  回転側刃体
３          固定刃具
３１        固定側刃体
４          上部スクレーパ
４ａ        突縁部
４ｂ        溝部
５          下部スクレーパ
５ａ        突縁部
５ｂ        溝部
７          可逆転モータ（回転駆動手段）
【図１】
2007307520.tif 000003
【図２】
2007307520.tif 000004
【図３】
2007307520.tif 000005
【図４】
2007307520.tif 000006
【図５】
2007307520.tif 000007
【図６】
2007307520.tif 000008
【図７】
2007307520.tif 000009